(57)【要約】      （修正有） 【課題】動物の捕獲成功率を大幅に向上させた動物捕獲装置を提供する。【解決手段】捕獲機構１０は、捕獲箱の所定位置に取り付けられ、侵入した動物と接触する接触部位１２ｂを有するとともに、一方端にはリング又はフック状のピン止め部１２ａが形成された動物侵入を検知する線状体１２と、一方端はシャッター支持部材１２２ａ、１２２ｂに接続されるとともに、他方端には、リング又はフック状のピン止め１４ａ、１６ａが形成された１又は２のシャッター支持部材連結線状体１４、１６と、動物侵入を検知する線状体に形成されたピン止め部１２ａと、１又は２以上のシャッター支持部材連結線状体の端部に形成されたピン止め部１４ａ、１６ａを同軸的に重ね合わせた時に、ピン止め部１２ａ、１４ａ、１６ａの同軸上に挿入されるピン１８と、を備えた構成とした。【選択図】図１
0003235540.tif 000002
【実用新案登録請求の範囲】
【請求項１】
一方側又は双方側に動物の侵入口が設けられ、前記侵入口にはシャッターが取り付けられている捕獲箱と、前記捕獲箱に動物が侵入したことを検知して、シャッター支持部材による前記シャッターの支持を解除して、前記シャッターを閉じることにより動物を捕獲箱内に閉じ込めて動物を捕獲する捕獲機構とを備えた動物捕獲装置において、
前記捕獲機構は、前記捕獲箱の所定位置に取り付けられ、侵入した動物と接触する接触部位を有するとともに、一方端にはリング又はフック状のピン止め部が形成された動物侵入を検知する線状体と、
一方端は前記シャッター支持部材に接続されるとともに、他方端には、リング又はフック状のピン止め部が形成された1又は２のシャッター支持部材連結線状体と、
前記動物侵入を検知する線状体に形成されたピン止め部と、前記1又は2以上のシャッター支持部材連結線状体の端部に形成されたピン止め部を同軸的に重ね合わせた時に、前記ピン止め部の同軸上に挿入されるピンと、
を備えたことを特徴とする動物捕獲装置。
【請求項２】
一方側又は双方側に動物の侵入口が設けられ、前記侵入口にはシャッターが取り付けられている捕獲箱と、前記捕獲箱に動物が侵入したことを検知して、トリガー棒を転倒さてシャッター支持部材による前記シャッターの支持を解除して、前記シャッターを閉じることにより動物を捕獲箱内に閉じ込めて動物を捕獲する捕獲機構とを備えた動物捕獲装置において、
前記捕獲機構は、前記捕獲箱の所定位置に取り付けられ、侵入した動物と接触する接触部位を有するとともに、一方端は前記トリガー棒に接続された動物侵入を検知する線状体と、
前記トリガー棒と前記シャッター支持部材とを連結する連結部材と、
を備えたことを特徴とする動物捕獲装置。
【請求項３】
一方側又は双方側に動物の侵入口が設けられ、前記侵入口にはシャッターが取り付けられている捕獲箱と、前記捕獲箱に動物が侵入したことを検知して、トリガー棒を転倒させてシャッター支持部材による前記シャッターの支持を解除して、前記シャッターを閉じることにより動物を捕獲箱内に閉じ込めて動物を捕獲する捕獲機構とを備えた動物捕獲装置において、
前記捕獲機構は、前記トリガー棒を支持するトリガー棒支持部材と、
動物が侵入した際に動物と接触するように所定の位置に配置された接触部材と、
前記トリガー支持部材と前記接触部材とを連結するとともに、前記捕獲箱の側面に回転自在に取り付けられる回転棒と、
を備えたことを特徴とする動物捕獲装置。
【考案の詳細な説明】
【技術分野】
【０００１】
本考案は、有害動物の駆除等に用いられる動物捕獲装置に係り、特に、動物の捕獲成功率を大幅に向上させた動物捕獲装置に関するものである。
【背景技術】
【０００２】
特許文献１にみられるように、従来より、有害な動物を駆除する目的等のための動物捕獲装置が実用に供されている。
そこで以下、本考案に先行する従来の動物捕獲装置の構成及び動作について、図４及び図５を用いて説明する。
図４は、従来の動物捕獲装置の基本構成、基本動作を説明するための側面図である。
また、図５は、従来の動物捕獲装置に用いられ、動物の侵入を検知して動物を捕獲する捕獲機構を説明するための概念斜視図である。
【０００３】
従来の動物捕獲装置１００の主要構成は、餌などにより誘引した動物を捕獲収容しておくための捕獲箱１１０と、動物の侵入を検知すると共に、それに連動して動物を捕獲箱１１０内に閉じ込める機能を果たす捕獲機構１２０とである。
捕獲箱１１０は、側部の4面を格子状の壁で囲い、動物の侵入口となる両面にはシャッター１１２ａ、１１２ｂが取り付けられている。
なお、図示による説明は省略するが、片面だけを侵入口として、侵入口の対面を格子状の壁で囲った、片面だけの捕獲装置も実用に供されている。
一方、捕獲機構１２０は、シャッター112a、１１２ｂを支持するシャッター支持部材１２２ａ（対面のシャッター支持部材（１２２ｂ）の図示は省略している）、動物の侵入を検知すると下方に落ちるトリガー棒１２４、捕獲箱１１０の天井に取り付けられ、シャッター支持部材122a（１２２ｂ）とトリガー１２４を連結する連結棒１２６、トリガー棒１２４を着脱自在に支持するために、垂直方向に設置される、トリガー棒支持部材１２８で構成される。
【０００４】
以上の構成で、次に、従来の動物捕獲装置１１０の基本動作を図４及び図５を用いて説明する。
従来の動物捕獲装置１１０は、森や草地などの所定個所に設置され、動物を誘引して捕獲する前は、図４に示すように、動物の侵入口に取り付けられたシャッター１１２ａ、１１２ｂを上方に持ち上げて開放状態にしている。
一方、動物が誘引されて侵入し、捕獲箱１１０内で行動することにより、捕獲箱１１０の内部に垂直に設置されているトリガー棒支持部材１２８に接触する。
すると、動物が接触した勢いで、トリガー棒支持部材１２８は倒れ、当該トリガー棒支持部材１２８に着脱自在に支持されていたトリガー棒１２４は支持力を失って転倒する。
トリガー棒１２４が転倒すると、捕獲箱１１０の天井に取り付けられていた連結棒１２６がそれに伴って自転して、この連結棒１２６の両端に取り付けられていたシャッター支持部材１２２ａ（１２２ｂ）が連動して回転して、シャッター支持部材122a（１２２ｂ）によるシャッター１１２ａ、１１２ｂの支持が解除される。
支持力を失ったシャッター１１２ａ、１１２ｂは、自重により落下して、捕獲箱１１０の両側の侵入口は、閉じられ、侵入した動物は逃げ場を失って、捕獲箱１１０内に捕獲されることになる。
【０００５】
【特許文献１】登録実用新案第３189930号公報
【考案の開示】
【考案が解決しようとする課題】
【０００６】
次に、従来の動物捕獲装置１００の問題について、図４及び図５を用いて説明する。
従来の動物捕獲装置１００では、捕獲箱１１０内に侵入した動物は、垂直に設置されたトリガー棒支持部材１２８を障害物と認識して、捕獲箱１１０内では、このトリガー棒支持部材１２８との接触を避けて行動する傾向がある。
この結果、捕獲箱１１０内に侵入した動物は、餌などを食べ終わった後は、トリガー棒支持部材１２８に接触することなく、シャッター１１２ａ、１１２ｂが解放されたままの侵入口から捕獲箱１１０の外部に出てしまい、動物の捕獲に失敗することが頻繁に起こり、捕獲成功率が低いという問題があった。
【０００７】
本考案は、上記従来の問題を解決し、動物の捕獲成功率を大幅に向上させた動物捕獲装置を提供することを目的とする。
【課題を解決するための手段】
【０００８】
本考案の動物捕獲装置は、上記従来の問題を解決するために、請求項１に記載のものでは、一方側又は双方側に動物の侵入口が設けられ、侵入口にはシャッターが取り付けられている捕獲箱と、捕獲箱に動物が侵入したことを検知して、シャッター支持部材によるシャッターの支持を解除して、シャッターを閉じることにより動物を捕獲箱内に閉じ込めて動物を捕獲する捕獲機構とを備えた動物捕獲装置において、捕獲機構は、捕獲箱の所定位置に取り付けられ、侵入した動物と接触する接触部位を有するとともに、一方端にはリング又はフック状のピン止め部が形成された動物侵入を検知する線状体と、一方端はシャッター支持部材に接続されるとともに、他方端には、リング又はフック状のピン止め部が形成された1又は２のシャッター支持部材連結線状体と、動物侵入を検知する線状体に形成されたピン止め部と、1又は2以上のシャッター支持部材連結線状体の端部に形成されたピン止め部を同軸的に重ね合わせた時に、ピン止め部の同軸上に挿入されるピンと、を備えた構成とした。
【０００９】
請求項２記載の動物捕獲装置は、一方側又は双方側に動物の侵入口が設けられ、侵入口にはシャッターが取り付けられている捕獲箱と、捕獲箱に動物が侵入したことを検知して、トリガー棒を転倒さてシャッター支持部材によるシャッターの支持を解除して、シャッターを閉じることにより動物を捕獲箱内に閉じ込めて動物を捕獲する捕獲機構とを備えた動物捕獲装置において、捕獲機構は、捕獲箱の所定位置に取り付けられ、侵入した動物と接触する接触部位を有するとともに、一方端はトリガー棒に接続された動物侵入を検知する線状体と、トリガー棒とシャッター支持部材とを連結する連結部材と、を備えた構成とした。
【００１０】
請求項３記載の動物捕獲装置は、一方側又は双方側に動物の侵入口が設けられ、侵入口にはシャッターが取り付けられている捕獲箱と、捕獲箱に動物が侵入したことを検知して、トリガー棒を転倒させてシャッター支持部材によるシャッターの支持を解除して、シャッターを閉じることにより動物を捕獲箱内に閉じ込めて動物を捕獲する捕獲機構とを備えた動物捕獲装置において、捕獲機構は、トリガー棒を支持するトリガー棒支持部材と、動物が侵入した際に動物と接触するように所定の位置に配置された接触部材と、トリガー支持部材と接触部材とを連結するとともに、捕獲箱の側面に回転自在に取り付けられる回転棒と、を備えた構成とした。
【考案の効果】
【００１１】
本考案の動物捕獲装置は、請求項１及び２に記載したように構成したために、以下のような優れた効果を有する。
（１）従来の動物捕獲装置におけるトリガー棒支持部材に比較して、本考案における線状体の接触部位は、動物にとっては障害物としての識別が遥かに困難であり、特に、草地に設置した場合等において、草に隠れている状態では、接触部位の識別はほとんど不可能とみられ、障害物としての認識がない以上、動物は何の抵抗感もなく、線状体の接触部位に接触するので、従来の動物捕獲装置に比べて、動物の捕獲の成功率は格段に向上する。
【００１２】
（２）請求項３に記載したように構成すると、従来の動物捕獲装置におけるトリガー棒支持部材に比較して、本考案における接触部材は、動物にとっては障害物としての識別が遥かに困難であり、動物の捕獲の成功率は格段に向上する。
【図面の簡単な説明】
【００１３】
【図１】本考案の第１の実施の形態の動物捕獲装置の特徴となる捕獲機構の基本構成を説明するための要部概略構成斜視図、及び、一部拡大図である。
【図２】本考案の第２の実施の形態の動物捕獲装置の特徴となる捕獲機構を説明するための要部斜視図である。
【図３】本考案の第３の実施の形態の動物捕獲装置の特徴となる捕獲機構を説明するための要部斜視図である。
【図４】従来の動物捕獲装置の基本構成、基本動作を説明するための側面図である。
【図５】従来の動物捕獲装置に用いられ、動物の侵入を検知して動物を捕獲する捕獲機構を説明するための概念斜視図である。
【考案を実施するための形態】
【００１４】
第１の実施の形態：
本考案の動物捕獲装置の第１の実施の形態の基本構成及び基本動作を図１を用い、図４及び図５を参照して説明する。
図１は、本考案の第１の実施の形態の動物捕獲装置の特徴となる捕獲機構の基本構成を説明するための要部概略構成斜視図、及び、一部拡大図である。
本実施の形態の動物捕獲装置の主要構成は、動物を誘引して捕獲する捕獲箱と、この捕獲箱に動物が侵入したことを検知して、動物を捕獲箱内に閉じ込めて動物を捕獲する捕獲機構である。
但し、捕獲箱に関しては、図４に示す従来の捕獲箱と同一構成のものを用いる関係上、以下、本考案の捕獲機構を中心に、図４及び図５を参照して説明する。
【００１５】
上述したように、本実施の形態の動物捕獲装置の特徴は、図４に示す従来の捕獲箱１１０に、本考案の捕獲機構１０を取り付けるようにしたことである。
本考案の捕獲機構１０は、図１に示すように、捕獲箱１１０の底面から少し上方に浮いた個所に、侵入口の面にほぼ平行となるように水平方向に取り付けられる、蹴り糸と呼ばれる接触部位１２ｂを有するとともに、一方端にはリング状のピン止め部１２ａが形成された動物の侵入を検知する金属ワイヤー１２と、一方端はシャッター支持部材１１２ａ（１１２ｂ）に接続されるとともに、他方端には、リング状のピン止め部１４ａ、１６ａが形成された２本のシャッター支持部材連結金属ワイヤー１４、１６と、図１の拡大図に示すように、この３つのピン止め部１２ａ、１４ａ、１６ａを同軸的に重ね合わせた時に、ピン止め部１２ａ、１４ａ、１６ａの同軸上に挿入されるL字型のピン１８とを備えた構成である。
ピン１８を、ピン止め部１２ａ、１４ａ、１６ａの同軸上に挿入することにより、２本のシャッター支持部材連結金属ワイヤー１４、１６は、シャッター支持部材１１２ａ（１１２ｂ）を引張支持する。
また、図１中、１９a、１９ｂはローラーで、金属ワイヤー１２の向きを水平方向から垂直方向、垂直方向から水平方向にそれぞれ変更するとともに、金属ワイヤー１２の湾曲の伝達を良好にしている。
【００１６】
以上の構成で、本実施の形態の動物捕獲装置の基本動作を、図１を用い、図４及び図５を参照して説明する。
本実施の形態の動物捕獲装置は、動物を捕獲する場合は、従来の動物捕獲装置１００と同様に、森や草地などの所定個所に設置され、動物を誘引して捕獲する前は、図４に示すように、動物の侵入口に取り付けられたシャッター１１２ａ、１１２ｂを上方に持ち上げておき、侵入口を開放状態にしておく。
【００１７】
そして、動物が侵入して、捕獲箱１１０の内部に取り付けられた接触部位（蹴り糸）１２ｂに接触すると、この部分は大きく湾曲して、その変形が、ローラー１９ａ、１９bを介して、一方端のピン止め１２ａに伝達して、ピン止め１２ａは捕獲箱１１０の側壁方向に大きく引っ張られることになる。
【００１８】
これにより、ピン止め部１２ａ、１４ａ、１６ａに同軸上に挿入されていたピン１８は、ひとたまりもなく、ピン止め部１２ａ、１４ａ、１６ａから外れ、シャッター支持部材１１２ａ（１１２ｂ）を引張支持していた金属ワイヤー１４、１６の端部１４ａ、１６ａは解放され、シャッター支持部材１１２ａ（１１２ｂ）は引張支持力を失って、シャッター１１２ａ、１１２ｂの支持は解除される。
支持が解除されたシャッター１１２ａ、１１２ｂは、自動的に降ろされて、捕獲箱１１０の双方の侵入口は閉じられ、これにより動物の捕獲が成功する。
【００１９】
従来の動物捕獲装置１００におけるトリガー棒支持部材１２８に比較して、本考案における金属ワイヤー１２の接触部位（蹴り糸）１２ｂは、動物にとっては障害物としての識別が遥かに困難である。
特に、草地に設置した場合等において、草に隠れている状態では、接触部位１２ｂの識別はほとんど不可能とみられる。
よって、障害物としての認識がない以上、動物は何の抵抗感もなく、金属ワイヤーの接触部位１２ｂに接触するので、従来の動物捕獲装置に比べて、動物の捕獲の成功率は格段に向上する。
【００２０】
第２の実施の形態：
次に、本考案の動物捕獲装置の第２の実施の形態の基本構成を図２を用い、図４及び図５を参照して説明する。
図２は、本考案の第２の実施の形態の動物捕獲装置の特徴となる捕獲機構を説明するための要部斜視図である。
本実施の形態の動物捕獲装置の主要構成は、上記第１の実施の形態及び従来例同様、動物を誘引して捕獲する捕獲箱１１０と、この捕獲箱１１０に動物が侵入したことを検知して、動物を捕獲箱１１０内に閉じ込めて動物を捕獲する捕獲機構２０である。
但し、捕獲箱１１０に関しては、図４に示す従来の捕獲箱１１０と同一構成のものを用いる関係上、以下、本考案の捕獲機構２０を中心に、図４及び図５を参照して説明する。
【００２１】
ところで、上記第１の実施の形態と、本実施の形態との相違点は、本実施の形態では、従来の動物捕獲装置１００で用いていたトリガー棒１２４を転倒させることにより、シャッター支持部材1２2a（１２２ｂ）によるシャッター112a、１１２ｂの支持の解除の機構をそのまま用いている点にある。
即ち、本実施の形態の捕獲機構２０は、図２に示すように、捕獲箱１１０の底面から少し上方に浮いた個所に、侵入口の面にほぼ平行となるように水平方向に取り付けられる、接触部位（蹴り糸）２２ｂを有するとともに、一方端はトリガー棒支持部材２４の接続されている、動物の侵入を検知する金属ワイヤー２２を備えた構成である。
また、図２中、１９a、１９ｂはローラーで、金属ワイヤー２２の向きを水平方向から垂直方向、垂直方向から水平方向にそれぞれ変更するとともに、金属ワイヤー２２の湾曲の伝達を良好にしている。
【００２２】
以上の構成で、本実施の形態の動物捕獲装置の基本動作を、図２を用い、図４及び図５を参照して説明する。
本実施の形態の動物捕獲装置は、動物を捕獲する場合は、第１の実施の形態及び従来の動物捕獲装置１００と同様に、森や草地などの所定個所に設置され、動物を誘引して捕獲する前は、図４に示すように、動物の侵入口に取り付けられたシャッター１１２ａ、１１２ｂを上方に持ち上げて、開放状態にしておく。
【００２３】
そして、動物が侵入して、捕獲箱１１０中に取り付けられた接触部位２２ｂに接触すると、この部分は大きく湾曲して、その変形が、ローラー１９ａ、１９bを介して、トリガー棒支持部材２４に伝達される。
これにより、トリガー棒支持部材２４は取り付け位置から外れ、トリガー棒１２４の支持力は消滅し、トリガー棒１２４は転倒する。
トリガー棒１２４の転倒により、従来の動物捕獲装置１００同様に、図２及び図５に示す連結棒１２６を介してシャッター支持部材１２２ａ（１２２ｂ）によるシャッター１１２ａ、１１２ｂの支持は解除される。
支持が解除されたシャッター１１２ａ、１１２ｂは、自動的に降ろされて、捕獲箱１１０の双方の侵入口は閉じられ、これにより動物の捕獲が成功する。
【００２４】
図５に示す従来の動物捕獲装置１００におけるトリガー棒支持部材１２８に比較して、本考案における金属ワイヤー２２の接触部位（蹴り糸）１２ｂは、動物にとっては障害物としての識別が遥かに困難である。特に、草地に設置した場合等において、草に隠れている状況での識別はほとんど不可能とみられる。
障害物としての認識がない以上、動物は何の抵抗感もなく、金属ワイヤーの接触部位２２ｂに接触するので、従来の動物捕獲装置１００に比べて、動物の捕獲の成功率は格段に向上する。  
【００２５】
第３の実施の形態：
本考案の動物捕獲装置の第３の実施の形態の基本構成を図３を用い、図４及び図５を参照して説明する。
図３は、本考案の第３の実施の形態の動物捕獲装置の特徴となる捕獲機構を説明するための要部斜視図である。
本実施の形態の動物捕獲装置の主要構成は、上記第１及び第２の実施の形態及び従来例同様、動物を誘引して捕獲する捕獲箱１１０と、この捕獲箱１１０に動物が侵入したことを検知して、動物を捕獲箱１１０内に閉じ込めて動物を捕獲する捕獲機構３０である。
また、第２の実施の形態同様、捕獲箱１１０に関しては、図４に示す従来の捕獲箱１１０と同一構成のものを用いる関係上、以下、本考案の捕獲機構３０を中心に、図４及び図５を参照して説明する。
【００２６】
本実施の形態の動物捕獲装置は、上記第２の実施の形態同様、従来の動物捕獲装置１００で用いていたトリガー棒１２４を倒すことにより、シャッター支持部材１２２ａ（１２２ｂ）によるシャッター１１２ａ、１１２ｂの支持の解除の機構をそのまま用いている。
一方、本実施の形態の捕獲機構３０は、図３に示すように、トリガー棒１２４を支持するトリガー棒支持部材３４と、動物が侵入した際に動物と接触するように所定の位置に配置され、蹴り棒と呼ばれる接触部材３２と、トリガー支持部材３４と接触部材３２とを連結するとともに、捕獲箱１１０の側面に回転自在に取り付けられる回転棒３６である。
接触部位３２は、捕獲箱１１０の底面から少し上方に浮いた位置に、侵入口の面にほぼ平行となるように水平方向に設置される。
【００２７】
以上の構成で、本実施の形態の動物捕獲装置の基本動作を、図３を用い、図４及び図５を参照して説明する。
本実施の形態の動物捕獲装置は、動物を捕獲する場合は、従来及び第１、第２の実施の形態の動物捕獲装置１００と同様に、森や草地などの所定個所に設置され、動物を誘引して捕獲する前は、図４に示すように、動物の侵入口に取り付けられたシャッター１１２ａ、１１２ｂを上方に持ち上げて、開放状態にしておく。
【００２８】
そして、動物が侵入して、捕獲箱１１０の接触部材３２（蹴り棒）に接触すると、この部分は、回転棒３６により、図３の矢印に示すように、回転自在に取り付けられているために、捕獲箱１１０の側面方向に回転する。
すると、接触部材３２と回転棒３６を介して連通していたトリガー棒支持部材３２も連動して回転し、この結果、トリガー棒１２４の支持も無くなり、トリガー棒１２４の転倒により、従来の動物捕獲装置１００同様に、連結棒１２６を介してシャッター１１２ａ、１１２ｂの支持は解除される。
支持が解除されたシャッター１１２ａ、１１２ｂは、自動的に降ろされて、捕獲箱１１０の双方の侵入口は閉じられ、これにより動物の捕獲が成功する。
【００２９】
従来の動物捕獲装置１００におけるトリガー棒支持部材１２８に比較して、本考案における接触部材（蹴り棒）３２は、動物にとっては障害物としての識別が困難な位置に配置されている。
特に、草地に設置した場合等において、草に隠れている場合の識別はほとんど不可能とみられる。
障害物としての認識がない以上、動物は何の抵抗感もなく、接触部材３２に接触するので、従来の動物捕獲装置１００に比べて、動物の捕獲の成功率は格段に向上する。
【００３０】
本願考案の動物捕獲装置の構成は、上記各実施の形態には限定されない。
上記第１、第２の実施の形態では、線状体として、金属ワイヤーを用いたもので説明したが、線状体としては、動物と接触したときに容易には切断されない程度の強度があり、また動物と接触した際には容易に湾曲できる程度の柔軟性があれば好適であるので、金属ワイヤーを他の、例えば、ピアノ線、釣り糸、凧糸、ロープ、チェーン等に置き換えたとしても、本考案の適用範囲内に入る。
また、上記第１の実施の形態では、ピン止め部をリング状のもので説明したが、これを開口部を有するフック状のものに変更したとしても、本考案に含まれるのはもちろんのことである。
更に、動物の侵入検知用の金属ワイヤーや接触部材の取り付け位置も、動物の識別が困難で接触が可能な位置であればよく、上記各実施の形態の取り付け位置には限定されない。
なお、上記各実施の形態では、侵入口を双方タイプのもので説明したが、片方タイプのものでも本考案は適用可能である。
【符号の説明】
【００３１】
１０、２０、３０  ：捕獲機構
１２、２２  ：動物侵入を検知する金属ワイヤー（線状体）
１２ａ：動物侵入を検知する金属ワイヤー（線状体）のピン止め部
１２ｂ、２２ｂ：動物侵入を検知する金属ワイヤー（線状体）の接触部位
１４、１６：シャッター支持部材連結金属ワイヤー（線状体）
１４ａ、１６ａ：シャッター支持部材連結金属ワイヤー（線状体）のピン止め部
２４、３４：トリガー棒支持部材
３２：接触部位（蹴り棒）
３６：回転棒
１１０    ：捕獲箱
１１２ａ、１１２ｂ：シャッター
１２２ａ（１２２ｂ）：シャッター支持部材
【図１】
0003235540.tif 000003
【図２】
0003235540.tif 000004
【図３】
0003235540.tif 000005
【図４】
0003235540.tif 000006
【図５】
0003235540.tif 000007